(57)【要約】【課題】高速化を阻害することなく、シート反転部のソレノイドの負担を軽減できる画像形成装置を提供する。【解決手段】画像形成装置は、画像が形成されたシートを１枚ずつ互いの間に受け入れ、その搬送方向を反転させて送り出す正逆回転可能な駆動ローラ６１及び従動ローラ６２と、各シートＰ１、Ｐ２、Ｐ３、・・・を受け入れる際に駆動ローラ６１から従動ローラ６２を離間させるソレノイド６３と、よりなるシート反転部６を有する。ソレノイド６３は複数のＳＯＬ１〜ＳＯＬ３よりなり、相互に独立して従動ローラ６２を離間させるようになっていて、これらの各ＳＯＬ１〜ＳＯＬ３は各シートを受け入れる毎に切り替わる。【選択図】      図１
2004262630.tif 000002
【特許請求の範囲】
【請求項１】
画像が形成されたシートを１枚ずつ互いの間に受け入れ、その搬送方向を反転させて送り出す正逆回転可能な駆動ローラ及び従動ローラと、前記各シートを受け入れる際に前記駆動ローラから前記従動ローラを離間させるソレノイドと、よりなるシート反転部を有する画像形成装置において、
前記ソレノイドは複数よりなり、相互に独立して前記従動ローラを離間させるようになっていて、これらの各ソレノイドは前記各シートを受け入れる毎に切り替わることを特徴とする画像形成装置。
【発明の詳細な説明】
【０００１】
【発明の属する技術分野】
本発明は、いわゆる表面印刷の裏面排出用や両面印刷用として、画像が形成された用紙やＯＨＰ用フィルム等のシートを１枚ずつ受け入れ、その搬送方向を反転させて送り出すシート反転部を有する画像形成装置に関する。
【０００２】
【従来の技術】
この種の画像形成装置としては、複写機やプリンタといったものが挙げられ、以下、その代表格である複写機について述べていく。一般に、複写機１は、図５に示すように、大きくは、原稿読取り部２、給紙部３、作像部４、分岐・排出部５、シート反転部６、排紙トレイ７よりなる（例えば、特許文献１参照）。
【０００３】
具体的には、原稿読取り部２は、原稿押え機能を有する自動原稿送り装置（ＡＤＦ）２１、光源ランプや光学系やＣＣＤ等を備えたスキャナ部２２等から構成されている。給紙部３は、用紙が収納された複数の給紙トレイ３１、各給紙トレイ３１から用紙を送り出す給紙ローラ３２、各給紙ローラ３２から送り出された用紙の重送を防止するための捌きローラ対３３、各捌きローラ対３３を経た用紙を搬送する複数の送りローラ対３４、これらを経ずに用紙やＯＨＰ用フィルム等を供給するための手差しトレイ３５、送りローラ対３４や手差しトレイ３５から供給された用紙やＯＨＰ用フィルム等（以下、「シート」と記すことがある）を受けタイミングを取りながら作像部４に送り出すレジストローラ対３６等を備えている。なお、レジストローラ対３６には、以降の動作を制御するためのシート検知用のレジストローラＳＷ（スイッチ）が設けられている。
【０００４】
作像部４は、感光体ドラム４１、この感光体ドラム４１の表面を均一に帯電させる帯電部４２、この感光体ドラム４１の表面に原稿読取り部２で読み取った原稿の画像データに基づく静電潜像を画成させる露光部４３、この感光体ドラム４１の表面にトナーを付着させトナー顕像を形成させる現像部４４、レジストローラ対３６から送り出されたシートにトナー顕像を転写させる転写部４５、感光体ドラム４１の表面の残存トナーを除去するクリーニング部４６、感光体ドラム４１の表面を除電する除電部４７、シートに転写されたトナー像を加圧・加熱して定着させシート上に画像を形成させる定着部４８等から構成されている。
【０００５】
分岐・排出部５は、作像部４を経たシートを所定のモードに応じてシート反転部６又は排紙トレイ７に向けて振り分ける第１振分爪５１、第１振分爪５１によりシート反転部６に向けて振り分けられたシートを搬送する分岐部第１ローラ対５２、分岐部第１ローラ対５２からシートを受けタイミングを取りながらシート反転部６に送り出す分岐部レジストローラ対５３、後述のシート反転部６における第２振分爪６５により排紙トレイ７に向けて振り分けられたシートを搬送する分岐部第２ローラ対５４、第１振分爪５１又は分岐部第２ローラ対５４からシートを受けて排紙トレイ７に排出する排出ローラ対５５等を備えている。なお、分岐部レジストローラ対５３には、以降の動作を制御するためのシート検知用の分岐部レジストローラＳＷ（スイッチ）が設けられている。
【０００６】
シート反転部６は、概略、分岐部レジストローラ対５３から送り出されたシートを互いの間に受け入れて挟持しその搬送方向を反転させて送り出す正逆回転可能な駆動ローラ６１及び従動ローラ６２と、シートを受け入れる際に駆動ローラ６１から従動ローラ６２を離間させるためのソレノイド６３と、駆動ローラ６１及び従動ローラ６２により搬送方向が反転されて送り出されたシートを受けて搬送する反転部第１ローラ対６４と、反転部第１ローラ対６４からのシートを所定のモードに応じて作像部４の入口である給紙部３のレジストローラ対３６、又は排紙トレイ７（直接的には分岐・排出部５の分岐部第２ローラ対５４）に向けて振り分ける第２振分爪６５と、第２振分爪６５により作像部４に向けて振り分けられたシートを搬送しレジストローラ対３６に送る複数の反転部第２ローラ対６６とを備えている。
【０００７】
このような構成のもと、給紙トレイ３１や手差しトレイ３５から供給されたシートは、レジストローラ対３６により作像部４の転写部４５に送られ、感光体ドラム４１の表面に形成されたトナー顕像が転写される。次いで、定着部４８でそのトナー像が定着されて、シートの表面に画像が形成、すなわち印刷される。
【０００８】
続いて、表面印刷の裏面排出モード時においては、上記の作像部４を経て表面に画像が形成されたシート（以下、「表面側印刷済シート」と記すことがある）は、第１振分爪５１により分岐・排出部５の分岐部第１ローラ対５２に向けて振り分けられ、分岐部第１ローラ対５２を経て分岐部レジストローラ対５３に達せられる。ここで、ソレノイド６３がＯＮせられて、従動ローラ６２が駆動ローラ６１から離間され、これらの間に分岐部レジストローラ対５３から表面側印刷済シートが送り出される。
【０００９】
その後、ソレノイド６３がＯＦＦせられ、その表面側印刷済シートは、従動ローラ６２と駆動ローラ６１とにより挟持されるとともに、駆動ローラ６１の正回転（図５では時計回り）により図５では右向きに一旦受け入れられていく。そして、駆動ローラ６１が逆回転（図５では反時計回り）せられ、これにより、その表面側印刷済シートは、搬送方向が反転されて図５では左向きに送り出されていく。
【００１０】
この反転されて送り出された表面側印刷済シートは、反転部第１ローラ対６４により搬送されるが、その際、裏面排出モードでは、第２振分爪６５により分岐・排出部５の分岐部第２ローラ対５４に向けて振り分けられ、分岐部第２ローラ対５４及び排出ローラ対５５を経て排紙トレイ７に排出される。このような裏面排出モードで排出された表面側印刷済シートは、印刷面である表面が下になった格好で順に排出されて積み重ねられていくことになる。従って、複数枚のページに亘る原稿の片面印刷の際、ページの並べ替えは不要となる。
【００１１】
一方、両面印刷モード時においては、表面側印刷済シートは、上記の裏面排出モード時と同様の動作で、駆動ローラ６１及び従動ローラ６２により搬送方向が反転されて送り出される。次いで、この反転されて送り出された表面側印刷済シートは、反転部第１ローラ対６４により搬送されるが、その際、裏面排出モード時とは異なり、第２振分爪６５により反転部第２ローラ対６６に向けて振り分けられ、各反転部第２ローラ対６６を経て、作像部４の入口である給紙部３のレジストローラ対３６に達せられる。
【００１２】
その後、レジストローラ対３６により再び作像部４の転写部４５に送られ、他方の面である裏面に画像が形成される。そして、裏面にも画像が形成されたシート（以下、「両面印刷済シート」と記すことがある）は、第１振分爪５１により今度は排出ローラ対５５に向けて振り分けられ、排紙トレイ７に排出される。このような両面印刷モードで排出された両面印刷済シートは、最初の印刷面である表面が下になった格好で順に排出されて積み重ねられていくことになる。なお、両面印刷済シートは、再度第１振分爪５１によりシート反転部６に向けて振り分けられ、上記の裏面排出モード時と同様の動作で、排紙トレイ７に排出される場合もある。
【００１３】
【特許文献１】
特開２００１−６３９２６公報（第１−３頁、第１図）
【００１４】
【発明が解決しようとする課題】
ところで、従来の複写機１としては、原稿の画像データをデジタル信号で取り扱いまとめてシート上に画像を形成する、いわゆるデジタル方式のものが多用されており、このデジタル方式の複写機１では、アナログ方式のものと比較して、作像部４における画像形成の時間を大幅に短縮できることから、特に複数枚のページに亘る原稿の表面印刷の裏面排出モード時や両面印刷モード時において、複写機１全体の高速化が可能と言える。
【００１５】
しかし、裏面排出モード時や両面印刷モード時には、上記したように、表面側印刷済シートを一旦シート反転部６に受け入れてその搬送方向を反転させて送り出す動作が必要となるため、複写機１の高速化に伴って、特にソレノイド６３に過大な負担がかかる。何故ならば、シート反転部６には、作像部４における画像形成時間に準じて、表面側印刷済シートを１枚ずつ連続的に、しかも短時間で受け入れて送り出すことが要求されため、ソレノイド６３には、更に短時間間隔での繰り返しのＯＮ／ＯＦＦ作動（駆動ローラ６１に対する従動ローラ６２の離接動作）が強いられるからである。
【００１６】
すると、ソレノイド６３が仕様以上に発熱して、ＯＮ／ＯＦＦの電気信号に対するソレノイド６３の応答性が低下し、複写機１の高速化を実質的に阻害してしまう。勿論、ソレノイド６３そのものが破損に至ってしまう場合もある。このような状況は、複写機１のより高速化が期待できるシート反転動作として、駆動ローラ６１及び従動ローラ６２により表面側印刷済シートが送り出されている最中に、従動ローラ６２を離間させるべくソレノイド６３が作動するとともに、次の表面側印刷済シートが受け入れられる場合に顕著である。なお、こういったことは、複写機以外の種々の画像形成装置に対しても同様に言える。
【００１７】
そこで、本発明は、上記の問題に鑑みてなされたものであり、高速化を阻害することなく、シート反転部のソレノイドの負担を軽減できる画像形成装置を提供することを目的とするものである。
【００１８】
【課題を解決するための手段】
上記目的を達成するため、本発明による画像形成装置は、画像が形成されたシートを１枚ずつ互いの間に受け入れ、その搬送方向を反転させて送り出す正逆回転可能な駆動ローラ及び従動ローラと、前記各シートを受け入れる際に前記駆動ローラから前記従動ローラを離間させるソレノイドと、よりなるシート反転部を有する画像形成装置において、前記ソレノイドは複数よりなり、相互に独立して前記従動ローラを離間させるようになっていて、これらの各ソレノイドは前記各シートを受け入れる毎に切り替わるようになっている。
【００１９】
これにより、各シートを受け入れる際に必要な従動ローラの離間動作は、連続して１枚ずつ受け入れる各シートに対して、１つのソレノイドが一括して全てを負担するものではなく、個々のソレノイドが順に負担するものとなるため、例え高速で各シートを受け入れるにしても、ソレノイド個々にして見れば、繰り返しのＯＮ／ＯＦＦ作動の時間間隔に余裕が生まれ、実質的な負担が軽減される。
【００２０】
【発明の実施の形態】
以下に、本発明の画像形成装置の１つである複写機の実施形態について、図面を参照しながら詳述する。図１は本発明の一実施形態の画像形成装置である複写機におけるシート反転部の要部平面図、図２はその複写機におけるシート反転動作を説明するシート反転部付近の要部断面図であって、図２（ａ）は全てのソレノイドがＯＦＦされた状態を示し、図２（ｂ）はいずれかのソレノイドがＯＮされた状態を示している。また、図３はその複写機における表面印刷の裏面排出モード時のシート反転動作を説明するタイムチャート、図４はその複写機における両面印刷モード時のシート反転動作を説明するタイムチャートである。なお、図中で図５と同じ名称で同じ機能を果たす部分には同一の符号を付し、重複する説明は省略する。
【００２１】
本発明の複写機（画像形成装置）は、図５に示すシート反転部６における従動ローラ６２及びソレノイド６３の構成に特徴部分があり、以下この特徴部分について述べていく。
【００２２】
図１及び図２に示すように、従動ローラ６２は、駆動ローラ６１と平行に対向配置されており、軸部１００と、この軸部１００に沿って固定された複数のローラ部１０１（図１では４つを図示）と、から構成されている。一方、従動ローラ６２における各ローラ部１０１相互の間には、互いに独立して作動する複数のソレノイド６３が、軸部１００と直角に配設されている（図１では３つを図示）。
以下、説明の便宜上、各々のソレノイド６３をそれぞれＳＯＬ１、ＳＯＬ２、及びＳＯＬ３と記すことがある。
【００２３】
ここで、従動ローラ６２、及びＳＯＬ１〜ＳＯＬ３は、複写機１におけるシート反転部６に一体のケース１０２に収容されており、このケース１０２の底面上に、ＳＯＬ１〜ＳＯＬ３それぞれが固定されている。更に、ケース１０２の底面には、従動ローラ６２の駆動ローラ６１に対する離接動作を許容すべく、各ローラ部１０１の位置に合わせて開口部が設けられている。
【００２４】
また、各ＳＯＬ１〜ＳＯＬ３は、ＯＦＦの電気信号を受けて突出状態となる一方で、ＯＮの電気信号を受けて引き込まれる突出入軸１０３を有しており、各突出入軸１０３の側部には、後述する各カム片１０７の上向き突片１０５に形成された切欠き１０８と係合する凸部１０４が設けられている。他方、従動ローラ６２における各ローラ部１０１相互の間の軸部１００には、各ＳＯＬ１〜ＳＯＬ３の位置に合わせて、上向き突片１０５、及びこの上向き突片１０５に対して鈍角の横向き突片１０６よりなるカム片１０７が固定されており、これらの各カム片１０７の上向き突片１０５には、各ＳＯＬ１〜ＳＯＬ３の突出入軸１０３の凸部１０４と係合する長穴状の切欠き１０８が設けられている。
【００２５】
そして、従動ローラ６２は、各ＳＯＬ１〜ＳＯＬ３が全てＯＦＦの状態、すなわち各突出入軸１０３が突出した状態で、各カム片１０７の横向き突片１０６の先端部がケース１０２の底面上に当接するとともに、各ローラ部１０１が駆動ローラ６１に接するように、ケース１０２に固定のバネ体（不図示）で付勢されながら支持されている（図２（ａ）参照）。
【００２６】
また、各ＳＯＬ１〜ＳＯＬ３のいずれかがＯＮの状態では、そのＯＮされた突出入軸１０３が引き込まれることによって、その突出入軸１０３の凸部１０４がカム片１０７の切欠き１０８に沿って移動し、これにより、そのカム片１０７がケース１０２の底面上に当接の横向き突片１０６の先端部を支点に回動し、結果として、従動ローラ６２が駆動ローラ６１から離間される（図２（ｂ）参照）。
その際、ＯＮされていない（ＯＦＦの状態）他の突出入軸１０３は、ＯＮされた突出入軸１０３によるカム片１０７の回動に追従して、単に引き込まれた状態となる。このように、各ＳＯＬ１〜ＳＯＬ３のいずれかのＯＮにより、従動ローラ６２を駆動ローラ６１から離間させることが可能になっている。
【００２７】
引き続き、このような構成のシート反転部６による実際のシート反転動作の一例について、図面を参照しながら説明する。
【００２８】
先ず、表面印刷の裏面排出モード時について、主として図２及び図３に基づき説明する。裏面排出モード時においては、給紙トレイ３１や手差しトレイ３５からシートが１枚ずつレジストローラ対３６に供給される。以下、説明の便宜上、供給されたシートを順にＰ１、Ｐ２、Ｐ３、・・・と符号を付す。最初に供給された１枚目のシートＰ１は、レジストローラＳＷをＯＮし、レジストローラ対３６により作像部４に送り出されて（図３（ａ）参照）、表面に画像が形成される。この１枚目の表面側印刷済シートＰ１は、図５に示すように、第１振分爪５１及び分岐部第１ローラ対５２を経て分岐部レジストローラ対５３に達せられ、分岐部レジストローラＳＷをＯＮする（図３（ｂ）参照）。ここで、図２（ｂ）に示すように、ＳＯＬ１〜ＳＯＬ３のうちの１つであるＳＯＬ１がＯＮせられて（図３（ｃ）参照）、従動ローラ６２が駆動ローラ６１から離間され（図３（ｆ）参照）、従動ローラ６２と駆動ローラ６１との間に分岐部レジストローラ対５３から１枚目の表面側印刷済シートＰ１が送り出される。
【００２９】
次いで、駆動ローラ６１がＯＮせられて（図３（ｇ）参照）正回転する（図２（ｂ）では時計回り）とともに、続いて、図２（ａ）に示すように、ＳＯＬ１がＯＦＦせられて（図３（ｃ）参照）、駆動ローラ６１に対する従動ローラ６２の離間が解除される（図３（ｆ）参照）。これにより、１枚目の表面側印刷済シートＰ１は、従動ローラ６２と駆動ローラ６１とにより挟持されながら、駆動ローラ６１の正回転（従動ローラ６２の従動回転）により図２では右向きに一旦受け入れられていく。その際一方では、次に供給された２枚目のシートＰ２が、上記と同様に、レジストローラＳＷをＯＮし、レジストローラ対３６により作像部４に送り出され（図３（ａ）参照）、その表面に画像が形成される。
【００３０】
引き続き、駆動ローラ６１がＯＦＦせられて（図３（ｇ）参照）逆回転し（図２（ａ）では反時計回り）、これにより、１枚目の表面側印刷済シートＰ１は、搬送方向が反転されて図２では左向きに送り出されていく。その後、駆動ローラ６１及び従動ローラ６２により１枚目の表面側印刷済シートＰ１が送り出されている最中に、２枚目の表面側印刷済シートＰ２が、上記と同様に、分岐部レジストローラ対５３に達せられ、分岐部レジストローラＳＷをＯＮする（図３（ｂ）参照）。ここで、図２（ｂ）に示すように、ＳＯＬ１〜ＳＯＬ３のうちで１枚目の表面側印刷済シートＰ１の反転動作に対して作動したＳＯＬ１と異なるＳＯＬ２がＯＮせられて（図３（ｄ）参照）、従動ローラ６２が駆動ローラ６１から離間され（図３（ｆ）参照）、上記と同様に、従動ローラ６２と駆動ローラ６１との間に分岐部レジストローラ対５３から２枚目の表面側印刷済シートＰ２が送り出される。
【００３１】
次いで、上記と同様に、駆動ローラ６１がＯＮせられて（図３（ｇ）参照）正回転するとともに、続いて、図２（ａ）に示すように、ＳＯＬ２がＯＦＦせられて（図３（ｄ）参照）、駆動ローラ６１に対する従動ローラ６２の離間が解除される（図３（ｆ）参照）。これにより、２枚目の表面側印刷済シートＰ２は、上記と同様に、従動ローラ６２と駆動ローラ６１とにより挟持されながら、駆動ローラ６１の正回転（従動ローラ６２の従動回転）により一旦受け入れられていく。その際一方では、次に供給された３枚目のシートＰ３が、上記と同様に、レジストローラＳＷをＯＮし、レジストローラ対３６により作像部４に送り出され（図３（ａ）参照）、その表面に画像が形成される。
【００３２】
引き続き、上記と同様に、駆動ローラ６１がＯＦＦせられて（図３（ｇ）参照）逆回転し、これにより、２枚目の表面側印刷済シートＰ２は、搬送方向が反転されて送り出されていく。その後、３枚目の表面側印刷済シートＰ３に対しても上記と同様の動作がなされるが、その反転動作で作動するソレノイド６３は、ＳＯＬ２からＳＯＬ３へ切り替わってなされる。更に、以降に供給されたシートＰ４、Ｐ５、・・・に対しても同様に、各シートＰ４、Ｐ５、・・・を受け入れる毎に、作動するＳＯＬ１〜ＳＯＬ３が択一的に切り替わり、上記の動作が繰り返される。
【００３３】
そして、反転されて送り出された各表面側印刷済シートＰ１、Ｐ２、Ｐ３、・・・は、順に反転部第１ローラ対６４、第２振分爪６５、分岐部第２ローラ対５４、及び排出ローラ対５５を経て排紙トレイ７に排出される。
【００３４】
次に、両面印刷モード時について、主として図４に基づき説明する。一般に、両面印刷モード時においては、シートを複写機１内で循環させて２回作像部４を通過させる、具体的には１回作像部４を通過した表面印刷済シートを反転させて直ちに再度作像部４を通過させ裏面に画像を形成する必要があるため、給紙トレイ３１や手差しトレイ３５からレジストローラ対３６へは、上記裏面排出モード時のようにシートが途切れずに連続して供給されるのではなく、機種に応じた循環可能枚数ずつで連続して供給される。以下の説明では、便宜上、この循環可能枚数を２枚として述べていく。
【００３５】
基本的に、１回目の画像形成動作及びシートの反転動作そのものは、上記の裏面排出モード時と同様であるが、給紙トレイ３１や手差しトレイ３５からレジストローラ対３６へのシートの供給は、１枚目のシートＰ１、続いて２枚目のシートＰ２の供給が終った後、一旦停止される。１回目の作像部４の通過により表面に画像が形成された１枚目の表面側印刷済シートＰ１、２枚目の表面側印刷済シートＰ２は、駆動ローラ６１及び従動ローラ６２によりその搬送方向が反転されて順に送り出される。その際、２枚目の表面側印刷済シートＰ２が、ＯＦＦせられたＳＯＬ２（図４（ｄ）参照）による従動ローラ６２（図４（ｆ）参照）と、ＯＮせられて正回転する駆動ローラ６１（図４（ｇ）参照）とにより挟持されながら受け入れられていく最中に、一方では、既に反転されて送り出された１枚目の表面側印刷済シートＰ１が、反転部第１ローラ対６４、第２振分爪６５、及び各反転部第２ローラ対６６を経て、レジストローラ対３６に達せられ、レジストローラＳＷをＯＮする。
【００３６】
次いで、この１枚目の表面側印刷済シートＰ１は、レジストローラ対３６により作像部４に送り出され（図４（ａ）参照）、その裏面に画像が形成される。その際一方では、駆動ローラ６１がＯＦＦせられて（図４（ｇ）参照）逆回転し、これにより、２枚目の表面側印刷済シートＰ２は、搬送方向が反転されて送り出される。その後、この反転されて送り出された２枚目の表面側印刷済シートＰ２は、上記と同様に、レジストローラ対３６に達せられて、レジストローラＳＷをＯＮし、作像部４に送り出され（図４（ａ）参照）、その裏面に画像が形成される。
【００３７】
そして、裏面にも画像が形成された両面印刷済シートＰ１、Ｐ２は、順に第１振分爪５１、及び排出ローラ対５５を経て排紙トレイ７に排出される。
【００３８】
一方では引き続き、給紙トレイ３１や手差しトレイ３５から３枚目のシートＰ３、続いて４枚目のシートＰ４がレジストローラ対３６へ供給されて、レジストローラＳＷをＯＮし（図４（ａ）参照）、上記と同様に供給が一旦停止される。
これらのシートＰ３、Ｐ４に対しても上記と同様の動作がなされるが、その反転動作で作動するソレノイド６３は、３枚目の表面側印刷済シートＰ３に対してはＳＯＬ２からＳＯＬ３へ切り替わり、続く４枚目の表面側印刷済シートＰ４に対してはＳＯＬ３からＳＯＬ１へ切り替わってなされる。更に、以降は、給紙トレイ３１や手差しトレイ３５からレジストローラ対３６へのシートの供給は、上記と同様に２枚ずつなされ、各シートを受け入れる毎に、作動するＳＯＬ１〜ＳＯＬ３が択一的に切り替わり、上記の動作が繰り返される。
【００３９】
このように、各シートＰ１、Ｐ２、Ｐ３、・・・を受け入れる際に必要な従動ローラ６２の離間動作は、連続して１枚ずつ受け入れる各シートＰ１、Ｐ２、Ｐ３、・・・に対して、１つのソレノイド６３が一括して全てを負担するものではなく、個々のソレノイド６３（ＳＯＬ１〜ＳＯＬ３）が順に負担するものとなるため、例え高速で各シートＰ１、Ｐ２、Ｐ３、・・・を受け入れるにしても、ソレノイド６３個々にして見れば、繰り返しのＯＮ／ＯＦＦ作動の時間間隔に余裕が生まれる。従って、画像形成装置の高速化を阻害することなく、個々のソレノイド６３の実質的な負担が軽減できる。
【００４０】
その他本発明は上記の実施形態に限定されず、本発明の趣旨を逸脱しない範囲で、種々の変更が可能である。例えば、ソレノイドの数は、各シートを受け入れる毎に、ＯＮ／ＯＦＦ作動するソレノイドが択一的に切り替わる限り、２つであったり、４つ以上であったりしても構わず、適用するソレノイドの仕様や従動ローラの離間動作の時間間隔に応じて適宜設定すればよい。
【００４１】
【発明の効果】
以上説明した通り、本発明によれば、画像が形成されたシートを１枚ずつ互いの間に受け入れ、その搬送方向を反転させて送り出す正逆回転可能な駆動ローラ及び従動ローラと、前記各シートを受け入れる際に前記駆動ローラから前記従動ローラを離間させるソレノイドと、よりなるシート反転部を有する画像形成装置において、前記ソレノイドは複数よりなり、相互に独立して前記従動ローラを離間させるようになっていて、これらの各ソレノイドは前記各シートを受け入れる毎に切り替わるようになっているので、各シートを受け入れる際に必要な従動ローラの離間動作は、個々のソレノイドが順に負担するものとなるため、例え高速で各シートを受け入れるにしても、ソレノイド個々にして見れば、繰り返しのＯＮ／ＯＦＦ作動の時間間隔に余裕が生まれる。従って、画像形成装置の高速化を阻害することなく、個々のソレノイドの実質的な負担が軽減できる。
【図面の簡単な説明】
【図１】本発明の一実施形態の画像形成装置である複写機におけるシート反転部の要部平面図である。
【図２】本発明の複写機におけるシート反転動作を説明するシート反転部付近の要部断面図である。
【図３】本発明の複写機における表面印刷の裏面排出モード時のシート反転動作を説明するタイムチャートである。
【図４】本発明の複写機における両面印刷モード時のシート反転動作を説明するタイムチャートである。
【図５】従来一般の画像形成装置である複写機の全体構成を示す断面図である。
【符号の説明】
１    複写機（画像形成装置）
３    給紙部
４    作像部
５    分岐・排出部
６    シート反転部
３１    給紙トレイ
３５    手差しトレイ
３６    レジストローラ対
５１    第１振分爪
５２    分岐部第１ローラ対
５３    分岐部レジストローラ対
５４    分岐部第２ローラ対
５５    排出ローラ対
６１    駆動ローラ
６２    従動ローラ
６３（ＳＯＬ１、ＳＯＬ２、ＳＯＬ３）    ソレノイド
６４    反転部第１ローラ対
６５    第２振分爪
６６    反転部第２ローラ対
１００    軸部
１０１    ローラ部
１０２    ケース
１０３    各突出入軸
１０４    凸部
１０５    上向き突片
１０６    横向き突片
１０７    カム片
１０８    切欠き
Ｐ    シート
【図１】
2004262630.tif 000003
【図２】
2004262630.tif 000004
【図３】
2004262630.tif 000005
【図４】
2004262630.tif 000006
【図５】
2004262630.tif 000007